(57)【要約】【課題】  基地局が送信する参照信号による干渉を低減すること。【解決手段】  基地局装置は、１つ以上の通信装置に測定させるための参照信号について、１つの信号に含まれる複数のリソースブロックのうち、その参照信号を送信するリソースブロックと送信しないリソースブロックとの少なくともいずれかを特定する情報を１つ以上の通信装置へ通知し、その情報に基づいて、参照信号を送信しないリソースブロックにおいては参照信号を送信せずに、参照信号を送信するリソースブロックにおいて参照信号を送信する。【選択図】  図４
2015073230.tif 000002
【特許請求の範囲】
【請求項１】
１つ以上の通信装置に測定させるための参照信号について、１つの信号に含まれる複数のリソースブロックのうち、当該参照信号を送信するリソースブロックと送信しないリソースブロックとの少なくともいずれかを特定する情報を前記１つ以上の通信装置へ通知する通知手段と、
前記情報に基づいて、前記参照信号を送信しないリソースブロックにおいては当該参照信号を送信せずに、前記参照信号を送信するリソースブロックにおいて当該参照信号を送信する送信手段と、
を有することを特徴とする基地局装置。
【請求項２】
前記複数のリソースブロックは所定数のリソースブロックごとのグループに分けられ、
前記情報は、前記グループのそれぞれが、前記参照信号が送信されないリソースブロックを含むか否かを示す情報を含む、
ことを特徴とする請求項１に記載の基地局装置。
【請求項３】
前記グループは、周波数方向において連続する前記所定数のリソースブロックを含み、
前記情報は、周波数方向において連続する複数のグループにおいて、前記参照信号が送信されないリソースブロックを含む場合、当該複数のグループのうち、最も高い又は最も低い周波数に対応するグループを特定する情報と、当該複数のグループにおけるグループの数とを特定する情報とを含む、
ことを特徴とする請求項２に記載の基地局装置。
【請求項４】
前記グループは、周波数方向において連続する前記所定数のリソースブロックを含み、
前記情報は、周波数方向において連続する複数のグループにおいて、前記参照信号が送信されないリソースブロックを含む場合、当該複数のグループのうち、最も高い周波数に対応するグループを特定する情報と、最も低い周波数に対応するグループを特定する情報とを含む、
ことを特徴とする請求項２に記載の基地局装置。
【請求項５】
前記複数のリソースブロックは複数のグループに分けられ、
前記情報は、前記複数のグループのうちの少なくとも１つのグループを特定する情報と、当該少なくとも１つのグループに含まれるリソースブロックのうち、前記参照信号が送信されないリソースブロックを特定する情報とを含む、
ことを特徴とする請求項１に記載の基地局装置。
【請求項６】
前記情報は、周波数方向において連続する複数のリソースブロックにおいて前記参照信号が送信されない場合、当該連続する複数のリソースブロックのうち、最も高い又は最も低い周波数に対応するリソースブロックを特定する情報と、当該連続する複数のリソースブロックにおけるリソースブロックの数とを特定する情報とを含む、
ことを特徴とする請求項１に記載の基地局装置。
【請求項７】
前記情報は、周波数方向において連続する複数のリソースブロックにおいて前記参照信号が送信されない場合、当該連続する複数のリソースブロックのうち、最も高い周波数に対応するリソースブロックを特定する情報と、最も低い周波数に対応するリソースブロックを特定する情報とを含む、
ことを特徴とする請求項１に記載の基地局装置。
【請求項８】
前記通知手段は、さらに、前記情報を他の基地局装置へ通知する、
ことを特徴とする請求項１から７のいずれか１項に記載の基地局装置。
【請求項９】
前記情報は、前記複数のリソースブロックのうち、前記参照信号を送信するリソースブロックと送信しないリソースブロックとを特定するビットマップを含む、
ことを特徴とする請求項１又は８に記載の基地局装置。
【請求項１０】
他の基地局装置についての前記情報を収集する収集手段をさらに有する、
ことを特徴とする請求項１から９のいずれか１項に記載の基地局装置。
【請求項１１】
前記通知手段は、前記基地局装置についての前記情報と共に、前記他の基地局装置についての前記情報を、前記１つ以上の通信装置へ通知する、
ことを特徴とする請求項１０に記載の基地局装置。
【請求項１２】
前記収集手段は、前記基地局装置によるセルの隣接セルに対応する前記他の基地局装置についての前記情報を収集する、
ことを特徴とする請求項１０又は１１に記載の基地局装置。
【請求項１３】
前記１つ以上の通信装置に対してリソースブロックを割り当てる割当手段と、
割り当てられなかったリソースブロックのうちの少なくとも一部を、前記参照信号を送信しないリソースブロックとして決定する決定手段をさらに有する、
ことを特徴とする請求項１から１２のいずれか１項に記載の基地局装置。
【請求項１４】
前記割当手段は、他の基地局装置において参照信号が送信されないリソースブロックを、優先的に前記１つ以上の通信装置に対して割り当てる、
ことを特徴とする請求項１３に記載の基地局装置。
【請求項１５】
前記割当手段は、前記複数のリソースブロックに対する、前記１つ以上の通信装置に割り当てられるべき順位を示す優先順位に基づいて、前記１つ以上の通信装置にリソースブロックを割り当て、
前記優先順位は、他の基地局装置の少なくとも一部に対する優先順位と異なる、
ことを特徴とする請求項１３に記載の基地局装置。
【請求項１６】
前記基地局装置に対して、リソースブロックに含まれる複数のリソースエレメントのうち、どのリソースエレメントにおいて当該参照信号が送信されるべきかを特定する複数のパターンのうちの１つのパターンが割り当てられ、
前記優先順位は、前記複数のパターンのそれぞれに対して定められる、
ことを特徴とする請求項１５に記載の基地局装置。
【請求項１７】
前記複数のリソースブロックの少なくとも一部について前記参照信号の送信を停止する要求を、他の基地局装置から取得する取得手段と、
取得した前記要求に基づいて、前記参照信号を送信するリソースブロックと送信しないリソースブロックとを決定する決定手段と、
をさらに有することを特徴とする請求項１から１６のいずれか１項に記載の基地局装置。
【請求項１８】
基地局装置から、１つの信号に含まれる複数のリソースブロックのうち、当該基地局装置が参照信号を送信するリソースブロックと送信しないリソースブロックとの少なくともいずれかを特定する情報を取得する取得手段と、
前記基地局装置が前記参照信号を送信しないリソースブロックにおいては前記参照信号の測定を行わず、前記基地局装置が前記参照信号を送信するリソースブロックにおいて前記参照信号の測定を行う測定手段と、
を有することを特徴とする通信装置。
【請求項１９】
前記取得手段が、１つの基地局装置から、複数の基地局装置についての前記情報を取得し、
前記測定手段は、取得した情報に基づいて、前記複数の基地局装置の少なくとも一部の基地局装置について、当該少なくとも一部の基地局装置のいずれもが前記参照信号を送信しないリソースブロックにおいては前記参照信号の測定を行わず、当該少なくとも一部の基地局のいずれかが前記参照信号を送信するリソースブロックにおいて、前記参照信号の測定を行う、
ことを特徴とする請求項１８に記載の通信装置。
【請求項２０】
前記複数の基地局装置のうち、前記参照信号が所定値以上の電力で受信される基地局装置を特定する特定手段をさらに有し、
前記測定手段は、特定された基地局装置のいずれもが前記参照信号を送信しないリソースブロックにおいては前記参照信号の測定を行わず、特定された基地局装置の少なくともいずれかが前記参照信号を送信するリソースブロックにおいて、前記参照信号の測定を行う、
ことを特徴とする請求項１９に記載の通信装置。
【請求項２１】
前記取得手段は、複数の基地局装置のそれぞれから、それぞれの基地局装置についての前記情報を取得し、
前記測定手段は、前記複数の基地局装置のいずれもが前記参照信号を送信しないリソースブロックにおいては前記参照信号の測定を行わず、前記複数の基地局装置の少なくともいずれかが前記参照信号を送信するリソースブロックにおいて、前記参照信号の測定を行う、
ことを特徴とする請求項１８に記載の通信装置。
【請求項２２】
基地局装置の制御方法であって、
通知手段が、１つ以上の通信装置に測定させるための参照信号について、１つの信号に含まれる複数のリソースブロックのうち、当該参照信号を送信するリソースブロックと送信しないリソースブロックとの少なくともいずれかを特定する情報を前記１つ以上の通信装置へ通知する通知工程と、
送信手段が、前記情報に基づいて、前記参照信号を送信しないリソースブロックにおいては当該参照信号を送信せずに、前記参照信号を送信するリソースブロックにおいて当該参照信号を送信する送信工程と、
を有することを特徴とする制御方法。
【請求項２３】
通信装置の制御方法であって、
取得手段が、基地局装置から、１つの信号に含まれる複数のリソースブロックのうち、当該基地局装置が参照信号を送信するリソースブロックと送信しないリソースブロックとの少なくともいずれかを特定する情報を取得する取得工程と、
測定手段が、前記基地局装置が前記参照信号を送信しないリソースブロックにおいては前記参照信号の測定を行わず、前記基地局装置が前記参照信号を送信するリソースブロックにおいて前記参照信号の測定を行う測定工程と、
を有することを特徴とする制御方法。
【請求項２４】
基地局装置が有するコンピュータに、
１つ以上の通信装置に測定させるための参照信号について、１つの信号に含まれる複数のリソースブロックのうち、当該参照信号を送信するリソースブロックと送信しないリソースブロックとの少なくともいずれかを特定する情報を前記１つ以上の通信装置へ通知する通知工程と、
前記情報に基づいて、前記参照信号を送信しないリソースブロックにおいては当該参照信号を送信せずに、前記参照信号を送信するリソースブロックにおいて当該参照信号を送信する送信工程と、
を実行させるためのプログラム。
【請求項２５】
通信装置が有するコンピュータに、
基地局装置から、１つの信号に含まれる複数のリソースブロックのうち、当該基地局装置が参照信号を送信するリソースブロックと送信しないリソースブロックとの少なくともいずれかを特定する情報を取得する取得工程と、
前記基地局装置が前記参照信号を送信しないリソースブロックにおいては前記参照信号の測定を行わず、前記基地局装置が前記参照信号を送信するリソースブロックにおいて前記参照信号の測定を行う測定工程と、
を実行させるためのプログラム。
【発明の詳細な説明】
【技術分野】
【０００１】
本発明は無線通信システムにおける干渉制御技術に関する。
【背景技術】
【０００２】
移動通信システムにおいて、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の標準規格の１つである「ＬＴＥ（Ｌｏｎｇ  Ｔｅｒｍ  Ｅｖｏｌｕｔｉｏｎ）」が普及し始めている（非特許文献１）。また、近年、３ＧＰＰでは、ＬＴＥを更に高度化させた、ＬＴＥ−Ａｄｖａｎｃｅｄに関する検討が行われている。ＬＴＥ又はＬＴＥ−Ａｄｖａｎｃｅｄにおいては、基地局が送信する参照信号（ＣＲＳ、Ｃｅｌｌ−Ｓｐｅｃｉｆｉｃ  Ｒｅｆｅｒｅｎｃｅ  Ｓｉｇｎａｌ）が通信装置（端末）によって測定され、基地局への接続、チャネル推定等の用途で使用される。
【先行技術文献】
【非特許文献】
【０００３】
【非特許文献１】３ＧＰＰ  ＴＳ３６．２０１、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  ＬＴＥ  ｐｈｙｓｉｃａｌ  ｌａｙｅｒ；  Ｇｅｎｅｒａｌ  ｄｅｓｃｒｉｐｔｉｏｎ”、Ｖ１１．１．０、２０１２年１２月
【発明の概要】
【発明が解決しようとする課題】
【０００４】
ここで、基地局は、送信するデータがない場合にも、通信装置の接続性を確保するために、参照信号を送信し続けることが想定されている。この場合、例えば、図１に示すように、通信装置がサービング基地局からデータを受信する際に、隣接セルの基地局からの参照信号によって干渉を受けてしまうという課題があった。以下、この課題が生じる例について説明する。
【０００５】
図１の例では、基地局装置Ａ１０１は、通信装置（端末）１０２に対して参照信号とデータ信号とを送信している一方で、基地局装置Ｂ１０３は、データ信号を送信せずに参照信号を送信している。なお、図１の送信信号中、最小単位の正方形で示される時間・周波数区間はリソースエレメント（ＲＥ）である。そして、斜線で塗られた正方形は、例えばデータ信号部分を表し、黒塗りの正方形が参照信号を表している。基地局装置Ｂ１０３により送信される参照信号は、例えば通信装置１０４の基地局装置１０３への接続性を確保するために使用されるが、同時に、基地局装置１０１から端末１０２へ送信されるデータ信号に干渉することとなる。このため、端末１０２におけるデータの受信品質が劣化してしまう。
【０００６】
本発明は上記課題に鑑みてなされたものであり、参照信号による干渉を低減することを目的とする。
【課題を解決するための手段】
【０００７】
上記目的を達成するため、本発明による基地局装置は、１つ以上の通信装置に測定させるための参照信号について、１つの信号に含まれる複数のリソースブロックのうち、当該参照信号を送信するリソースブロックと送信しないリソースブロックとの少なくともいずれかを特定する情報を前記１つ以上の通信装置へ通知する通知手段と、前記情報に基づいて、前記参照信号を送信しないリソースブロックにおいては当該参照信号を送信せずに、前記参照信号を送信するリソースブロックにおいて当該参照信号を送信する送信手段と、を有する。
【０００８】
上記目的を達成するため、本発明による通信装置は、基地局装置から、１つの信号に含まれる複数のリソースブロックのうち、当該基地局装置が参照信号を送信するリソースブロックと送信しないリソースブロックとの少なくともいずれかを特定する情報を取得する取得手段と、前記基地局装置が前記参照信号を送信しないリソースブロックにおいては前記参照信号の測定を行わず、前記基地局装置が前記参照信号を送信するリソースブロックにおいて前記参照信号の測定を行う測定手段と、を有する。
【発明の効果】
【０００９】
本発明によれば、参照信号による干渉を低減することが可能となる。
【図面の簡単な説明】
【００１０】
【図１】隣接基地局からの参照信号により干渉を受ける状態を示す概念図。
【図２】参照信号の送信制御の一例を示す概念図。
【図３】基地局装置又は端末のハードウェア構成例を示す図。
【図４】基地局装置の機能構成例を示すブロック図。
【図５】端末の機能構成例を示すブロック図。
【図６】参照信号を送信する又は送信しないリソースブロックを通知する情報の第１の例を示す図。
【図７】参照信号を送信する又は送信しないリソースブロックを通知する情報の第２の例を示す図。
【図８】参照信号を送信する又は送信しないリソースブロックを通知する情報の第３の例を示す図。
【図９】参照信号を送信する又は送信しないリソースブロックを通知する情報の第４の例を示す図。
【図１０】基地局装置が実行する処理の流れを示すフローチャート。
【図１１】端末が実行する処理の流れを示すフローチャート。
【発明を実施するための形態】
【００１１】
以下、添付図面を参照して本発明の実施の形態を詳細に説明する。
【００１２】
本実施形態においては、基地局装置は、参照信号による隣接セルに存在する端末（移動体又は固定の無線通信装置）への干渉を抑制するために、一部のリソースブロック（物理リソースブロック、ＰＲＢ）においてのみ参照信号を送信する。そして、基地局装置は、残りのＰＲＢでは参照信号を送信しないようにする。これにより、端末は、隣接セルの基地局装置からの参照信号による干渉を回避することができる。
【００１３】
しかしながら、端末が、基地局装置から参照信号が送信されていないことを知らずに参照信号の測定を行うと、その基地局装置からは十分な電力で信号を受信できないと判定し、その基地局装置へ接続することができなくなってしまう。このため、本実施形態では、基地局装置が、１つの信号に含まれる複数のリソースブロック（ＰＲＢ）のうち、参照信号を送信するＰＲＢと送信しないＰＲＢとの少なくともいずれかを特定する情報を端末へ通知する。そして、端末は、この通知された情報に基づいて、どのＰＲＢにおいて参照信号を測定すべきかを特定する。
【００１４】
具体的には、図２（ａ）〜（ｃ）に一例として示すように、基地局装置は、複数のリソースブロックを、参照信号を送信するＰＲＢと参照信号を送信しないＰＲＢとに分ける。例えば、図２（ａ）では、基地局装置は、周波数が低い方から２番目と９番目のＰＲＢを参照信号が送信されないＰＲＢとして分類し、残りのＰＲＢを参照信号が送信されるＰＲＢとして分類する。そして、基地局装置は、この分類に応じた参照信号の送信制御の実行に先立って、参照信号が送信されるＰＲＢの情報と送信されないＰＲＢの情報との少なくともいずれかを端末へ通知する。端末は、通知された情報に基づいて、周波数が低い方から２番目と９番目のＰＲＢでは参照信号を測定せず、他のＰＲＢにおいて参照信号を測定するようにする。これにより、周波数が低い方から２番目と９番目のＰＲＢにおいては、参照信号による干渉を生じさせずに、かつ、そのＰＲＢにおける端末の参照信号の測定を防ぐことができるため、接続性やチャネル推定品質を維持しながら、干渉を低減することが可能となる。
【００１５】
また、基地局装置は、端末に送信するトラフィックの量が低く安定している場合は、例えば図２（ｂ）のように、少なくとも一部の信号において、ほとんどのリソースブロックにおいて参照信号を送信しないようにしてもよい。図２（ｂ）の例の場合、基地局装置は、複数のリソースブロックのうち、周波数の低い方から９番目と１０番目のＰＲＢのみにおいて参照信号を送信する。このため、基地局装置は、この参照信号の送信制御を実行する前に、端末へ、周波数の低い方から９番目と１０番目のＰＲＢのみで参照信号を送信することを示す情報とその他のＰＲＢでは参照信号を送信しないことを示す情報との少なくともいずれかを通知する。これにより、参照信号による干渉を大幅に削減することが可能となる。なお、このような場合、例えば、次のフレーム（時間方向において後の信号）では、例えば周波数の低い方から１番目と２番目のＰＲＢにおいて参照信号を送信するなど、周波数帯域ごとに、参照信号が送信されない時間が一定以下となるように制御してもよい。
【００１６】
なお、端末へ送信するトラフィックが存在するＰＲＢにおいては、参照信号も併せて送信される。換言すれば、参照信号が送信されないＰＲＢにおいてトラフィックは送信されない。したがって、基地局装置は、送信すべきトラフィックの量に応じて、参照信号を送信するＰＲＢと送信しないＰＲＢ、特に参照信号を送信しないＰＲＢの数を決定してもよい。
【００１７】
また、基地局装置は、所定のＰＲＢにおいて干渉がない環境での端末に対する信号送信を望む場合に、隣接セルの基地局装置に対して、その所定のＰＲＢにおける参照信号の送信の停止を要求してもよい。基地局装置は、隣接セルの基地局装置から、この要求を取得すると、この要求に応じて、指定されたＰＲＢにおける参照信号の送信を停止してもよい。
【００１８】
また、上述の例のように、一部の周波数帯域において、連続して参照信号が送信されないようにしなくてもよく、例えば、図２（ｃ）に示すように、リソースブロック（１ｍｓ）単位で、参照信号を送信しない周波数帯域を切り替えてもよい。図２（ｃ）の例では、基地局装置は、最初の１ｍｓにおいては、周波数が低い方から２番目〜５番目のＰＲＢでは参照信号を送信せず、他のＰＲＢにおいて参照信号を送信する。そして、次の１ｍｓにおいては、周波数が低い方から７番目〜１０番目のＰＲＢでは参照信号を送信せず、他のＰＲＢにおいて参照信号を送信する。この場合、基地局装置は、参照信号を送信しないＰＲＢ又は参照信号を送信するＰＲＢを、時間と周波数帯域の両面から特定した情報を端末へ通知する。これにより、参照信号を停止するリソースブロックを、高い自由度で選択することができる。
【００１９】
以上のように、隣接セルの基地局装置が一部のＰＲＢにおいて参照信号の送信を停止するため、そのＰＲＢの間に端末が受信した信号は、その隣接セルの基地局装置からの干渉を受けずに済む。そして、端末は、受信信号において干渉が低減されるのに加えて、基地局装置から通知される情報に基づいて、参照信号が送信されるＰＲＢを知ることができるため、参照信号が存在するＰＲＢにおいてのみ参照信号の観測を実行することができる。したがって、参照信号が送信されていないＰＲＢにおいて誤って観測を実行し、基地局装置との接続を確保できなくなるということがなくなる。
【００２０】
以下では、基地局装置及び端末の構成及び処理の例を詳細に説明する。
【００２１】
（基地局装置及び端末のハードウェア構成例）
図３に基地局装置及び端末のハードウェア構成例を示す。基地局装置及び端末は、一例において、図３に示すような、同様のハードウェア構成を有し、例えば、ＣＰＵ３０１、ＲＯＭ３０２、ＲＡＭ３０３、外部記憶装置３０４、及び通信装置３０５を有する。基地局装置及び端末では、例えばＲＯＭ３０２、ＲＡＭ３０３及び外部記憶装置３０４のいずれかに記録された、以下に示す基地局装置及び端末の各機能を実現するプログラムがＣＰＵ３０１により実行される。そして、基地局装置及び端末は、通信装置３０５を用いて、基地局と端末との間の通信、又は基地局間通信を行う。なお、図３では、基地局装置及び端末は、１つの通信装置３０５を有するとしているが、例えば、基地局装置が基地局間通信用の通信装置及び端末との間の通信装置を有するなどのように、複数の通信装置を有してもよい。
【００２２】
なお、基地局装置及び端末は、以下に説明する各機能を実行する専用のハードウェアを備えてもよいし、一部をハードウェアで実行し、プログラムを動作させるコンピュータでその他の部分を実行してもよい。また、以下の全機能をコンピュータとプログラムにより実行させてもよい。
【００２３】
（基地局装置の機能構成）
図４は、基地局装置の機能構成例を示すブロック図である。基地局装置は、例えば、参照信号送信制御部４０１、参照信号送信パターン通知部４０２、及び無線通信部４０３を有する。また、基地局装置は、リソース割当部４０４と参照信号送信ＰＲＢ決定部４０５との少なくともいずれかを有してもよい。
【００２４】
参照信号送信制御部４０１は、リソースブロックごとに、参照信号を送信するか否かを制御する。このとき、参照信号を送信するか否かのパターンは予め定められていてもよい。すなわち、例えば、恒常的に送信すべきトラフィック量が少ないエリアをカバーする基地局装置は、各信号における予め定められたリソースブロックにおいてのみ参照信号を送信することが定められていてもよい。なお、このとき、例えば周期的に参照信号を送信する周波数帯域が変化するように、参照信号を送信するリソースブロックが配置されてもよい。また、一部のサブフレームにおいては、参照信号が全く送信されなくてもよい。例えば、１つのフレームに含まれる複数のサブフレームのうちの１つのサブフレームだけで参照信号が送信されてもよいし、複数のフレームごとに１つのサブフレームだけで参照信号が送信されてもよい。また、参照信号を送信するサブフレームごとに、異なる周波数帯域に対応するリソースブロックが、参照信号を送信するのに使用されてもよい。なお、例えば、時刻ごとに一定のパターンで送信すべきトラフィック量が変動するエリアをカバーする基地局装置に対しては、参照信号が送信されるリソースブロックのパターンが、時間ごとに定められたパターンに従って自動的に切り替えられてもよい。
【００２５】
参照信号送信パターン通知部４０２は、参照信号送信制御部４０１が参照信号の送信と停止を行うパターンを、端末へ通知する情報として生成する。なお、参照信号送信パターン通知部４０２は、参照信号送信パターンが常に一定の場合は、不図示の記憶部に記憶されたそのパターンに基づいて通知する情報を生成してもよく、その場合は、参照信号送信制御部４０１からパターン情報を取得する必要はない。なお、参照信号送信パターンが一定の場合であっても、その基地局装置のエリアに新たに進入してきた端末にそのパターンを通知するために、参照信号送信パターン情報が周期的に送信されてもよい。また、参照信号送信パターン通知部４０２は、参照信号送信パターン情報を、他の基地局装置へ通知してもよい。さらに、参照信号送信パターン通知部４０２は、１つ以上の他の基地局装置（例えば隣接セルの基地局装置）における参照信号送信パターン情報を収集し、生成した情報と共に、その収集した情報を端末へ通知してもよい。なお、この場合、端末は、例えばサービング基地局から、周辺の基地局装置（隣接セルの基地局装置）についての参照信号送信パターン情報を受け取ることが可能となる。
【００２６】
無線通信部４０３は、端末と通信を行う機能部である。参照信号送信パターンの通知と、参照信号、送信データがある場合は参照信号と共にデータ信号の送信を行う。また、本実施形態では詳細に説明しないが、信号の受信を含め、一般的な基地局装置としての、端末との間の無線通信を行う機能をも有する。
【００２７】
リソース割当部４０４は、１つ以上の端末に対して、通信のためのリソースブロックの割り当てを行う。そして、リソースブロックの割り当て情報が、無線通信部４０３へ入力され、無線通信部４０３は、その割り当て情報に従って、データ信号のリソースブロックへのマッピング等を行う。また、割り当て情報は、参照信号送信ＰＲＢ決定部４０５にも入力される。
【００２８】
リソース割当部４０４は、例えば、従来通りのスケジューリング手法で、１つ以上の端末に対してリソースブロックを割り当てることができる。また、リソース割当部４０４は、例えば、他の基地局装置から、少なくとも一部のＰＲＢについての参照信号の送信の停止要求を取得した場合は、その要求に応じて、そのＰＲＢをいずれの端末との通信にも割り当てないようにする。さらに、リソース割当部４０４は、他の基地局装置からの参照信号送信ＰＲＢ情報により、他の基地局装置において、参照信号が送信されないＰＲＢを、優先的に端末との通信に割り当ててもよい。この場合、他の基地局装置において参照信号を送信しないＰＲＢを、例えば優先度の高いデータの送信またはセル端に存在する端末宛てのデータの送信のために割り当ててもよい。参照信号が送信されないＰＲＢでは、他の基地局装置からの参照信号による干渉がなく、高いＳＩＮＲを確保することができるからである。
【００２９】
参照信号送信ＰＲＢ決定部４０５は、リソースブロックの割り当て情報に基づいて、どのリソースブロックで参照信号を送信するかを決定する。具体的には、端末との通信に割り当てられていないリソースブロックのうちの少なくとも一部のリソースブロックを、参照信号を送信しないリソースブロックとして決定し、残りのリソースブロックを、参照信号を送信するリソースブロックとして決定する。データが送信されるリソースブロックでは、必ず参照信号が送信されることとなる一方で、データが送信されないリソースブロックでは、必ずしも参照信号を送信する必要はないからである。そして、その決定した内容を参照信号送信制御部４０１へ受け渡す。参照信号送信制御部４０１は、決定された参照信号送信パターンに応じて、参照信号の送信を制御することができる。なお、参照信号送信ＰＲＢ決定部４０５は、例えば、他の基地局装置から、少なくとも一部のＰＲＢについての参照信号の送信の停止要求を取得した場合は、その要求に応じて、そのＰＲＢを、優先的に、参照信号を送信しないリソースブロックとしてもよい。これにより、例えば、他の基地局装置において、高いＳＩＮＲを要求する通信が行われるリソースブロックに対して、参照信号による干渉を与えることを防ぐことが可能となる。
【００３０】
なお、他の基地局装置との間で、参照信号送信パターン情報を交換する場合は、そのパターン情報は、そのパターン情報が送信されたタイミングより所定時間経過した後のタイミングにおけるパターンを特定する情報を含むようにしてもよい。これは、バックホール回線は遅延が大きい場合があるため、バックホール回線を経て他の基地局装置へ通知された時点において、その情報が過去のものとならないようにするためである。例えば、上述の所定時間経過後のタイミングから所定数のフレームに亘って、１つのフレーム又はサブフレーム内の特定のＰＲＢにおいて参照信号を送信しないことが事前に決定され、他の基地局装置へ通知されてもよい。なお、リソース割当部４０４は、参照信号を送信しないことが事前に決定されたＰＲＢを、端末に割り当てないようにする。これにより、例えば所定時間をバックホール回線における許容遅延時間とすることにより、他の基地局装置がバックホール回線を通じて参照信号送信パターン情報は、その情報を受信した時点において将来の情報となる。このため、他の基地局装置は、その受信した情報に基づいて、干渉を考慮したリソースの割り当てを行うことが可能となる。
【００３１】
なお、ＬＴＥにおいては、参照信号（Ｃｅｌｌ−ｓｐｅｃｉｆｉｃ  Ｒｅｆｅｒｅｎｃｅ  Ｓｉｇｎａｌ、ＣＲＳ）は、リソースブロックに含まれる複数のリソースエレメントの一部において送信される。そして、このＣＲＳが配置されるリソースエレメントの割り当てパターンは３通り存在する。すなわち、ＣＲＳのリソースエレメントへの１つの割り当てパターンを用いてＣＲＳを送信した場合、異なる割り当てパターンを用いる基地局装置からの信号におけるデータを送信するリソースエレメントに対して、ＣＲＳが干渉を与えることとなる。一方、同じリソースエレメントの割り当てパターンを用いた場合、一方の基地局装置から送信されたＣＲＳは、他方の基地局装置から送信されたＣＲＳには干渉しうるものの、データには干渉しないこととなる。また、ＣＲＳ同士の干渉は大きな問題とならない場合が多い。
【００３２】
したがって、基地局装置を、使用するＣＲＳのリソースエレメントへの割り当てパターンで分類し、その分類ごとに、どのリソースブロックを優先的に端末へ割り当てるかの優先順位を定めてもよい。ここで、各リソースブロックを、周波数方向において、周波数の低い方から１、２、…、Ｎ番目のリソースブロックと呼ぶ。そして、例えば、１〜［Ｎ／３］＋１番目のリソースブロックと、［Ｎ／３］＋２〜［２Ｎ／３］＋１番目のリソースブロックと、［２Ｎ／３］＋２〜Ｎ番目のリソースブロックに、ＣＲＳの割り当てパターンごとに、それぞれ優先順位として１〜３を割り当てる。なお［ｘ］は、ｘを超えない最大の整数である。また、優先順位は、「１」が最も高く、「３」が最も低くてもよいし、反対であってもよい。
【００３３】
例えば、１つ目のパターンに対して、１〜［Ｎ／３］＋１番目のリソースブロックと、［Ｎ／３］＋２〜［２Ｎ／３］＋１番目のリソースブロックと、［２Ｎ／３］＋２〜Ｎ番目のリソースブロックに、それぞれ優先順位「１」「２」及び「３」を割り当てる。そして、２つ目のパターンに対して、それぞれ優先順位「３」「１」及び「２」を割り当てる。さらに、３つ目のパターンに対して、それぞれ優先順位「２」「３」及び「１」を割り当てる。これにより、１つ目のＣＲＳのリソースエレメントへの割り当てパターンを用いる基地局装置では、１〜［Ｎ／３］＋１番目のリソースブロックが端末に割り当てられる確率が高く、［２Ｎ／３］＋２〜Ｎ番目のリソースブロックが割り当てられる確率が低くなる。同様に、２つ目の割り当てパターンを用いる基地局装置では、［Ｎ／３］＋２〜［２Ｎ／３］＋１番目のリソースブロックが端末に割り当てられる確率が高く、１〜［Ｎ／３］＋１番目のリソースブロックが割り当てられる確率が低くなる。また、３つ目の割り当てパターンを用いる基地局装置では、［２Ｎ／３］＋２〜Ｎ番目のリソースブロックが端末に割り当てられる確率が高く、［Ｎ／３］＋２〜［２Ｎ／３］＋１番目のリソースブロックが割り当てられる確率が低くなる。
【００３４】
これにより、端末に割り当てられないリソースブロックが、複数の基地局装置間で分散される。すなわち、ある基地局装置において、あるリソースブロックを端末に割り当てる一方で、例えば隣接する他の基地局装置において、そのリソースブロックが端末に割り当てられないこととなる。このとき、他の基地局装置においては、そのリソースブロックを端末に割り当てていないため、参照信号の送信を省略することが可能である。したがって、隣接基地局装置からの参照信号による干渉が発生する確率を低減することができる。
【００３５】
なお、優先順位の付け方は、例えばリソースブロック単位で行われてもよいし、所定数のリソースブロック単位で行われてもよい。例えば、参照信号を送信するＰＲＢ等の情報を端末へ通知する際に、所定数のＰＲＢごとにまとめて（すなわち、所定数のＰＲＢの全てが参照信号を送信しているかを）通知する場合は、所定数のＰＲＢを１つの単位として、優先順位付けが行われてもよい。これにより、まとめてその状態が通知されるＰＲＢのグループごとに同じ優先順位が付され、各グループの１つだけのＰＲＢが参照信号を送信しない状態であるために、端末が、いずれのＰＲＢをも参照信号の観測に使用できない、という状態を防ぐことができる。
【００３６】
また、上述のように、ＣＲＳのリソースエレメントへの割り当てパターンによる基地局装置の分類以外の分類を行ってもよい。例えば、隣接するセルの基地局装置同士が可能な限り異なるグループに分類され、リソースブロックの割り当てに関して、異なる優先順位を有するように、基地局装置の分類が行われてもよい。このような分類によれば、隣接する基地局装置間で、同じリソースブロックを端末に割り当てる確率が低くなるため、その結果、互いに隣接する基地局装置同士で、参照信号による干渉を与え合う確率を低減することが可能となる。なお、上述の優先順位は、時間の経過と共に変更されてもよい。これにより、ある基地局装置が展開するセルにおいて、一部の周波数帯域において参照信号が全く送信されないなどの事象が生じることを防ぐことが可能となる。
【００３７】
（端末の機能構成）
図５は、端末１０２及び１０４の機能構成例を示すブロック図である。端末は、例えば、無線通信部５０１、参照信号測定制御部５０２、及び参照信号測定部５０３を有する。
【００３８】
無線通信部５０１は、サービング基地局装置又は隣接セルの基地局装置から、参照信号送信パターンの情報を受信し、その情報を参照信号測定制御部５０２へ通知する。また、受信した信号を参照信号測定部５０３へ転送する。なお、本実施形態では詳細に説明しないが、無線通信部５０１は、信号の送信を含む、一般的な端末としての、基地局装置との間の無線通信を行う機能をも有する。
【００３９】
参照信号測定制御部５０２は、通知された情報に基づいて、参照信号の測定とその停止とを制御する。具体的には、基地局装置から参照信号を送信しないと通知されたリソースブロックにおいては参照信号を測定せずに、参照信号が送信されるリソースブロックにおいてのみ参照信号を測定するように、参照信号測定部５０３を制御する。なお、参照信号測定制御部５０２は、参照信号が送信されるリソースブロックの少なくとも一部において参照信号を測定するように参照信号測定部５０３を制御すればよく、その全てのリソースブロックにおいて参照信号を測定しなくてもよい。すなわち、参照信号測定制御部５０２は、参照信号を測定するリソースブロックを、参照信号が送信されるリソースブロックの中から自律的に選択してもよい。参照信号測定部５０３は、参照信号測定制御部５０２の制御に基づいて、参照信号の観測を行う。
【００４０】
なお、複数の基地局装置から、それぞれの参照信号送信パターンを取得した場合、参照信号測定制御部５０２は、その複数の基地局装置のいずれもが参照信号を送信しないリソースブロックでは参照信号を測定しないように、参照信号測定部５０３を制御する。そして、参照信号測定制御部５０２は、少なくとも１つの基地局装置が参照信号を送信するリソースブロックにおいて参照信号を測定するように、参照信号測定部５０３を制御する。この場合、ある基地局装置について、その参照信号送信パターンを取得できるということは、その基地局装置が端末の在圏するセルの近隣のセル又は隣接セルの基地局装置であることを意味する。したがって、端末は、他の基地局装置から受信した参照信号送信パターンに応じてこのような基地局装置からの参照信号についても測定しておくことによって、例えば、その測定結果を用いて、移動時のハンドオフ先を決定することができる。
【００４１】
一方、参照信号測定制御部５０２は、サービング基地局から、複数の基地局装置の参照信号送信パターンの情報を一括して取得してもよい。そして、複数の基地局装置のそれぞれから参照信号送信パターン情報を受信した場合と同様に、参照信号を測定するリソースブロックを決定して、参照信号測定部５０３を制御することができる。この場合、参照信号測定制御部５０２は、さらに、その複数の基地局装置の中から、端末自身が所定値以上の電力で参照信号を受信できる、少なくとも一部の基地局装置を特定してもよい。具体的には、端末は、例えば、自らの位置に応じて、どの基地局装置の参照信号を所定値以上の電力で受信できるはずかをサービング基地局に問い合わせてもよい。また、端末は、過去に測定した参照信号又はその他の信号に基づいて、参照信号を所定以上の電力で受信できるはずの基地局装置を特定してもよい。
【００４２】
そして、参照信号測定制御部５０２は、この特定された基地局についての参照信号送信パターンのみを抽出し、抽出したパターンに基づいて、参照信号を測定するリソースブロックを決定する。具体的には、参照信号測定制御部５０２は、特定された基地局装置のいずれもが参照信号を送信しないリソースブロックでは参照信号を測定しないことを決定する。また、参照信号測定制御部５０２は、特定された基地局装置の少なくとも１つが参照信号を送信するリソースブロックにおいて参照信号を測定することを決定する。このように、他の基地局装置に関する参照信号送信パターンに従って近隣の基地局装置からの参照信号をも測定しておくことで、端末は、例えば、この測定結果を用いて、移動時のハンドオフ先を決定することができる。また、取得した参照信号送信フレーム情報のうち、不必要に多くの基地局装置の参照信号送信パターンを考慮しなくてもよくなり、参照信号の測定に関する処理量が軽減される。
【００４３】
（参照信号送信パターン情報の例）
図６〜図９を用いて、基地局装置から端末へ通知される参照信号送信パターンの情報の例について説明する。なお、以下の説明では、各リソースブロック（ＰＲＢ）に対して、周波数方向において、低い周波数のＰＲＢから順に、０、１、２、・・・とインデックスが付されているものとする。すなわち、最も低い周波数帯域に対応するＰＲＢはインデックス０で表されるものとし、周波数が高くなるにつれて、インデックスの数値が上昇するものとする。
【００４４】
図６（ａ）及び（ｂ）は、各ＰＲＢにおいて、参照信号を送信するＰＲＢをビット「０」で、参照信号を送信しないＰＲＢをビット「１」で表すビットマップを参照信号送信パターン情報とした場合の例を示している。なお、図６（ａ）及び（ｂ）とは逆に、参照信号を送信するＰＲＢをビット「１」で、参照信号を送信しないＰＲＢをビット「０」で表してもよい。なお、図６（ａ）は、例えば、１つ以上のフレーム又はサブフレームにおいて参照信号送信パターンが変化しない場合の例を示している。また、図６（ｂ）は、例えば、サブフレームごと又はスロットごとなど、所定の時間単位ごとに参照信号送信パターンが変化する場合の例を示している。
【００４５】
図６（ａ）の例では、０〜３番目、及び７〜９番目のインデックスが付されたＰＲＢにおいて、所定の時間期間だけ、参照信号が送信され続ける。一方、４〜６番目のインデックスが付されたＰＲＢにおいては、所定の時間期間だけ、参照信号が送信されない状態が継続する。このように、各ＰＲＢ（周波数帯域）に１ビットを割り当て、ビットマップとして参照信号を送信するか否かを通知することで、基地局装置と端末との間で、シンプルな構成で参照信号送信パターンを共有することが可能となる。
【００４６】
図６（ｂ）の場合も同様であるが、時間の経過と共に参照信号が送信されるＰＲＢ（周波数帯域）が異なることを示すことができる。図６（ｂ）のような参照信号送信パターン情報を用いることにより、時間方向と周波数方向とにおいて、柔軟に参照信号を送信するＰＲＢと送信しないＰＲＢとを割り当てることが可能となる。
【００４７】
しかしながら、図６（ｂ）の情報は全てのＰＲＢに対して１ビットの情報量が必要となるため、情報全体のサイズが過度に大きくなる場合がある。このため、例えば、基地局装置間の情報の交換は、回線の容量が問題となることは少ないため、図６（ｂ）のようなビットマップで参照信号送信パターンを用いると共に、基地局装置から端末へ通知される情報は、以下に示すような方法を用いてもよい。なお、以下で示す方法は、図６（ｂ）のように、時間経過によって参照信号を送信するＰＲＢが変化する場合に使用されてもよいし、図６（ａ）のように所定期間の間、参照信号を送信するＰＲＢが変化しない場合にしようされてもよい。ここでは、説明の簡略化のため、時間経過による変化を考慮しない場合の、参照信号送信パターン情報の例を示す。ただし、時間経過によるパターンの変化があっても、以下に示す情報をサブフレーム単位又はスロット単位の情報として、この情報を所定数だけ並べることにより、所定数のサブフレーム又はスロットにおける時間変化に対応した情報を形成することができる。
【００４８】
図７は、各ＰＲＢが、所定数のＰＲＢごとにグループ化され、そのグループのそれぞれに、参照信号を送信しないＰＲＢが含まれるか否かを示すビットにより、参照信号送信パターン情報が表される場合の例を示している。図７の例では、周波数方向において連続する３つのＰＲＢを１つのグループとして、ＰＲＢをグループ化した例を示している。なお、グループに含まれるＰＲＢの数は３つでなくてもよい。また、図７の例では、参照信号を送信しないＰＲＢを含まないグループをビット「０」で、参照信号を送信しないＰＲＢを含むグループをビット「１」で表している。なお、各ＰＲＢにおいて、参照信号が送信されるか否かは、図６（ａ）と同様とする。図６（ａ）では、４〜６番目のインデックスを有するＰＲＢにおいて、参照信号が送信されない。したがって、４〜５番目のインデックスを含むグループと、６番目のインデックスを含むグループとの２つのグループは、参照信号を送信しないＰＲＢが含まれるグループとなるため、これらのグループにはビット「１」が割り当てられる。一方、０〜２番目のインデックスが付されたＰＲＢは、いずれも参照信号を送信するＰＲＢである。したがって、０〜２番目のインデックスを含むグループに対しては、ビット「０」が割り当てられる。なお、図７の例において、参照信号を送信しないＰＲＢが含まれない場合にビット「１」を、参照信号を送信しないＰＲＢが含まれる場合にビット「０」を、それぞれ割り当ててもよい。
【００４９】
図８（ａ）〜（ｃ）は、図７に示すグループについて、周波数方向において連続する複数のグループにおいて参照信号を送信しないＰＲＢが含まれる場合に、この複数のグループを特定する参照信号送信パターン情報の例である。図８（ａ）は、参照信号が送信されないＰＲＢを含む、周波数方向において連続する複数のグループのうち、最も周波数が低いＰＲＢを含むグループを特定する情報と、連続するグループの数の情報とを含む場合の例である。ここで、図７に示すように、各グループには、周波数方向において、周波数が低い方から０、１、２とグループインデックスが付されているものとする。図７の例においては、グループインデックスが１番目のグループから、２つのグループにおいて、参照信号が送信されないＰＲＢが含まれている。したがって、図８（ａ）では、参照信号を送信しないＰＲＢを含む複数のグループのうち、最低周波数に対応するグループのインデックスとして「１」を、グループの数として「２」を、参照信号送信パターン情報に含める。これにより、基地局装置は、端末に、図７と同様の情報を送信することができる。
【００５０】
なお、図８（ａ）では、参照信号を送信しないＰＲＢを含む複数のグループのうち、最低周波数に対応するグループのインデックスと、グループ数とを参照信号送信パターン情報に含めたが、これとは異なる形式で、参照信号送信パターン情報を形成してもよい。例えば、図８（ｂ）に示すように、周波数方向において連続する、参照信号を送信しないＰＲＢを含む複数のグループのうち、最高周波数に対応するグループインデックスと、グループ数とを、参照信号送信パターン情報に含めてもよい。また、図８（ｃ）に示すように、周波数方向において連続する複数のグループのうち、最高周波数に対応するグループインデックスと、最低周波数に対応するグループインデックスとを参照信号送信パターン情報に含めてもよい。
【００５１】
なお、図８（ａ）〜（ｃ）に示す情報は、グループ単位でなく、ＰＲＢ単位での情報を表すのにも使用することができる。すなわち、周波数方向で連続する複数のＰＲＢにおいて参照信号が送信されない（又は送信される）場合、この連続するＰＲＢの最高又は最低周波数に対応するＰＲＢインデックスと、連続するＰＲＢの個数とを参照信号送信パターン情報に含めることができる。また、この連続するＰＲＢの最高周波数と最低周波数とにそれぞれ対応するＰＲＢインデックスを、参照信号送信パターン情報に含めてもよい。これにより、特定の周波数帯域において、参照信号を送信しない（又は送信する）ＰＲＢが偏る場合に、ビットマップを送信するより少ない情報量で、これらのＰＲＢを特定する情報を生成することができる。
【００５２】
このように、複数のＰＲＢをグループ化して、それぞれのグループが参照信号を送信しないＰＲＢを含むかの情報によって、参照信号送信パターン情報を形成することにより、各ＰＲＢに対してビットを割り振るのと比べて、情報量を大幅に削減できる。また、周波数方向において連続する所定数のＰＲＢを１つのグループにまとめる場合、上述のように、リソースブロックの端末への割り当てを特定の周波数帯域に偏らせることによって、参照信号を送信しないＰＲＢを特定の周波数帯域に偏らせることができる。その場合、その特定の周波数帯域に偏って存在する、参照信号を送信しない（又は送信する）ＰＲＢを特定するための情報は、図８（ａ）〜（ｃ）のいずれかのように表すことができる。したがって、この場合、ビットマップを用いるより少ない情報量で、参照信号送信パターン情報を形成することが可能となる。
【００５３】
図９は、複数のＰＲＢを複数（この場合３つ）のサブセットに分けて、各端末に対して、サブセットの１つを特定する情報と、そのサブセットに含まれる各ＰＲＢにおいて参照信号が送信されるかを特定する情報を、参照信号送信パターン情報に含めた例である。各端末には、例えば、サブセット０の情報のみ、サブセット１の情報のみ、又はサブセット２の情報のみが送信されうる。又は、各端末に、例えば、サブセット１及びサブセット２のみのように、一部のサブセットの情報のみが送信されてもよい。一部のサブセットの情報のみが含まれることによって、参照信号送信パターン情報の情報量を削減することができる。
【００５４】
例えば、図９の例では、各サブセットは、ＰＲＢの総数の（約）１／３の個数のＰＲＢのみを含む。したがって、１つのサブセットにおいて、参照信号を送信するＰＲＢと参照信号を送信しないＰＲＢとを特定するビットマップを生成したとしても、このビットマップのビット数は、図６の例と比べると、１／３に低減することができる。なお、この場合、どのサブセットの情報であるかを特定する必要があるが、サブセットの個数が３つであれば、２ビットあれば足りる。したがって、情報量を大幅に削減することができる。
【００５５】
なお、一部のサブセットの全てのＰＲＢにおいて参照信号が送信される場合は、参照信号送信パターン情報は、このサブセットを除くすべてのサブセットの情報を含んでもよい。例えば、図９の例では、サブセット０のＰＲＢは、全て参照信号を送信するＰＲＢである。したがって、参照信号送信パターン情報は、サブセット０を除き、サブセット１及びサブセット２のみの情報を含んでもよい。この場合、図６のビットマップと比べて、情報量を約２／３程度まで減らすことができる。さらに、一部のサブセットの全てのＰＲＢが参照信号を送信する、又は送信しない場合、このサブセットを特定する情報と、このサブセットの全てのＰＲＢが参照信号を送信する又は送信しないことを示す情報とを参照信号送信パターン情報に含めてもよい。この場合、サブセット内の各ＰＲＢについての情報を特定する、全てのＰＲＢで参照信号を送信する、又は全てのＰＲＢで参照信号が送信されない、の３つのパターンが存在するため、これらを２ビットで表現することができる。一部のサブセットの全てのＰＲＢで参照信号が送信されないなど、参照信号が送信されないＰＲＢが偏在する場合には、このようにすることで、参照信号送信パターン情報の情報量を大幅に削減することが可能となる。
【００５６】
（基地局装置の処理）
続いて、基地局装置が実行する処理について説明する。図１０は、基地局装置が実行する処理の流れを示すフローチャートである。基地局装置は、大まかには、参照信号送信パターンの情報を生成する処理（Ｓ１００１〜Ｓ１００５）と、生成した参照信号送信パターン情報を端末へ通知する処理（Ｓ１００６）とを実行する。なお、図１０のフローには、場合によっては省略してもよい処理が含まれていることに留意されたい。
【００５７】
まず、基地局装置は、隣接セルに関する他の基地局装置から参照信号の送信に関する情報を取得し（Ｓ１００１）、例えばその情報に基づいて、ＰＲＢを端末に割り当てる（Ｓ１００２）。参照信号の送信に関する情報とは、例えば、基地局装置に対して参照信号の送信を停止することを要求するリソースブロックの情報、又は当該他の基地局装置が参照信号を送信しないＰＲＢの情報などである。なお、基地局装置は、他の基地局装置からの参照信号の送信に関する情報によらずに、ＰＲＢを端末に割り当ててもよい。例えば、上述のように、隣接セルの基地局装置と、端末へのＰＲＢの割り当ての優先順位が異なる場合は、他の基地局装置からの情報を取得しなくても、参照信号による干渉を抑えることができる。この場合、Ｓ１００１の処理はなくてもよい。
【００５８】
続いて、ＰＲＢの端末への割り当てに応じて、参照信号の送信を停止すべきＰＲＢを決定し、参照信号送信パターンを決定する（Ｓ１００３）。ここでは、端末へ割り当てられたＰＲＢにおいては参照信号の送信を停止することができないため、割り当てられていないＰＲＢの少なくとも一部を、参照信号の送信を停止すべきＰＲＢとして決定する。なお、予め定められたパターンで参照信号の送信を停止するＰＲＢが定まっている場合は、この処理は実行されなくてもよい。その後、隣接セルの基地局装置における参照信号送信パターンの情報を収集する（Ｓ１００４）。なお、各基地局装置が独自に参照信号送信パターンを端末に通知する場合には、この処理は実行されない。そして、使用する参照信号送信パターンの情報と、収集した場合は隣接セルの基地局装置における参照信号送信パターンとに基づいて、端末へ通知する参照信号送信パターン情報を生成する（Ｓ１００５）。情報が生成されると、基地局装置は、その情報を端末へ通知する（Ｓ１００６）。
【００５９】
（端末の処理）
図１１に、端末が実行する処理の流れのフローチャートを示す。端末は、参照信号の測定に先立って、基地局装置から参照信号送信パターンを受信する（Ｓ１１０１）。ここで、サービング基地局から、サービングセルの隣接セルの基地局装置に関する参照信号送信パターンをも併せて受信した場合、端末は、その中から、少なくとも一部の参照信号の測定に用いる参照信号送信パターンを選択する。なお、複数の基地局装置からそれぞれ参照信号送信パターン情報を取得した場合は、このような選択処理は不要である。また、サービング基地局から、複数の基地局装置についての参照信号送信パターン情報をまとめて受信した場合であっても、参照信号の測定に用いる参照信号送信パターン情報を選択しなくてもよい。
【００６０】
そして、端末は、通知を受けた参照信号送信パターンに基づいて、参照信号が送信されないＰＲＢにおいては参照信号の測定を行わず、参照信号が送信されるＰＲＢにおいてのみ参照信号を測定する（Ｓ１１０２）。なお、上述のように、グループ単位で、それぞれのグループが参照信号を送信しないＰＲＢを含んでいるかの情報を通知された場合は、参照信号を送信しないＰＲＢを含むグループに属するＰＲＢにおいては、参照信号の測定を行わない。また、複数の基地局装置の参照信号送信パターンが存在する場合は、端末は、これらの基地局装置のうちいずれもが参照信号を送信しないＰＲＢでは参照信号の測定を行わず、少なくともいずれかが参照信号を送信するＰＲＢにおいて参照信号の測定を行う。また、複数の基地局装置の参照信号送信パターン情報が、グループ単位の情報であった場合は、端末は、複数の基地局装置のうち少なくともいずれかが、参照信号を送信しないＰＲＢを含まないグループに属するＰＲＢにおいてのみ、参照信号の測定を行う。
【００６１】
これにより、基地局装置は、参照信号を送信するＰＲＢの数を抑えることが可能となるため、参照信号が隣接セルに存在する端末の通信に干渉することを抑えることが可能となる。一方で、端末は、参照信号が送信されるＰＲＢを正確に特定することができるようになるため、誤って参照信号が送信されないＰＲＢにおいて参照信号を測定することによる不利益を受けずに済むようになる。したがって、基地局装置と端末との間の接続性やチャネル推定品質を担保しながら、システム全体としての干渉量を削減することが可能となる。
【図１】
2015073230.tif 000003
【図２】
2015073230.tif 000004
【図３】
2015073230.tif 000005
【図４】
2015073230.tif 000006
【図５】
2015073230.tif 000007
【図６】
2015073230.tif 000008
【図７】
2015073230.tif 000009
【図８】
2015073230.tif 000010
【図９】
2015073230.tif 000011
【図１０】
2015073230.tif 000012
【図１１】
2015073230.tif 000013